(57)【要約】【課題】本発明は、データ伝送管理システムを提供する。【解決手段】  本発明のデータ伝送管理システムは、第１ネットワークセグメントクライアント、第２ネットワークセグメントクライアント、および中央サイトを含む。中央サイトは管理ユニットを含み、さらに第１ネットワークセグメントクライアントおよび第２ネットワークセグメントクライアントとそれぞれデータ伝送が行われる。管理ユニットは情報コントロール部を有し、第１ネットワークセグメントクライアントおよび第２ネットワークセグメントクライアントの間で、データ伝送が行われないように制御する。【選択図】図２
2013207797.tif 000002
【特許請求の範囲】
【請求項１】
第１ネットワークセグメントクライアント、第２ネットワークセグメントクライアント、および中央サイトを含む、データ伝送管理システムであって、
該第１ネットワークセグメントクライアントが複数の第１ユーザを含み、これらの第１ユーザ間で相互にデータ伝送が行われ、
該第２ネットワークセグメントクライアントが複数の第２ユーザを含み、これらの第２ユーザ間で相互にデータ伝送が行われ、
該中央サイトが管理ユニットを含み、該中央サイトが、それぞれ第１ネットワークセグメントクライアントおよび該第２ネットワークセグメントクライアントとデータ伝送を行い、さらに該管理ユニットを通じて、該第１ネットワークセグメントクライアントおよび該第２ネットワークセグメントクライアントの間でデータ伝送が行われないように制御する、
データ伝送管理システム。
【請求項２】
該中央サイトがメモリユニットを有し、該管理ユニットと電気的に接続される、請求項１に記載のデータ伝送管理システム。
【請求項３】
該第１ユーザがそれぞれ第１識別コードを有し、さらにこれらの第１識別コードが、該第１ネットワークセグメントクライアントの地理的位置に対応する、請求項１に記載のデータ伝送管理システム。
【請求項４】
該第２ユーザがそれぞれ第２識別コードを有し、さらにこれらの第２識別コードが、該第２ネットワークセグメントクライアントの地理的位置に対応する、請求項１に記載のデータ伝送管理システム。
【請求項５】
該管理ユニットが、該第１ネットワークセグメントクライアントおよび該第２ネットワークセグメントクライアントのデータを管理するユーザコントロール部を有する、請求項１に記載のデータ伝送管理システム。
【請求項６】
該管理ユニットが、該ユーザコントロール部と電気的に接続され、該第１ネットワークセグメントクライアントおよび該第２ネットワークセグメントクライアントの情報に対応し、さらにはリソースの割当または需要と供給のマッチングをコントロールする情報コントロール部を有する、請求項５に記載のデータ伝送管理システム。
【請求項７】
ａ．複数のユーザの個別のネットワークセグメント情報が検出されるステップと、
ｂ．これらのユーザが、そのネットワークセグメント情報に基づいて、第１ネットワークセグメントクライアントまたは第２ネットワークセグメントクライアントに分類されるステップと、
ｃ．中央サイトが、それぞれ該第１ネットワークセグメントクライアントおよび該第２ネットワークセグメントクライアントとデータ伝送を行い、さらに該第１ネットワークセグメントクライアントおよび該第２ネットワークセグメントクライアントの間でデータ伝送が行われないように制御するステップと、
を含むデータ伝送の管理方法。
【請求項８】
ステップａにおけるこれらのネットワークセグメント情報が、該ユーザの地理的位置に対応する、請求項７に記載のデータ伝送の管理方法。
【請求項９】
ステップｂにおける該第１ネットワークセグメントクライアントが複数の第１ユーザを含み、さらにこれらの第１ユーザの間で相互にデータ伝送が行われる、請求項７に記載のデータ伝送の管理方法。
【請求項１０】
ステップｂにおける該第２ネットワークセグメントクライアントが複数の第２ユーザを含み、さらにこれらの第２ユーザの間で相互にデータ伝送が行われる、請求項７に記載のデータ伝送の管理方法。
【請求項１１】
該中央サイトが、情報コントロール部を通じて、該第１ネットワークセグメントクライアントおよび該第２ネットワークセグメントクライアントの情報と対応し、リソースの割当をコントロールする、請求項７に記載のデータ伝送の管理方法。
【発明の詳細な説明】
【技術分野】
【０００１】
本発明は、データ伝送管理システムに関し、特にバックボーンの流量を下げる機能を有するデータ伝送管理システムに関する。
【背景技術】
【０００２】
ピアツーピア技術（ｐｅｅｒ−ｔｏ−ｐｅｅｒ、Ｐ２Ｐと略す）は、対等インターネット技術とも称され、ネットワークの新しい技術である。ネットワークに関与する要素の計算能力および帯域幅に依存しており、比較的少ない数台のサーバに依存しているのではない。この種のネットワークは多種の用途に使用することができ、各種のファイル共有ソフトは、すでに広範に使用されている。Ｐ２Ｐ技術は、類似したＩＰネットワーク音声伝送技術（Ｖｏｉｃｅ  ｏｖｅｒ  ＩＰ、ＶｏＩＰ）など、ライブメディアビジネスのデータ通信にも使用されている。
【０００３】
ピアピアツーピアネットワークには、クライアントまたはサーバの概念は無く、平等な兄弟ノードがあるだけである。それと同時に、ネットワーク上のその他のノードに対して、クライアントおよびサーバを割り当てる。この種のネットワーク設計モデルは、クライアント−サーバモデルと異なる。クライアント−サーバモデルにおける通信は、通常１つの中央サーバを行き来する。
【０００４】
図１を参照されたい。図１は、従来技術のピアツーピアシステムの概要図である。従来技術のピアツーピアシステム１００は、クライアントと接続される中央サイト（センターサーバ）１３０を有し、クライアントから要求が送信されると、中央サイト１３０からこの要求に対応する関連情報が送信される。センターサーバ１３０は、この要求に対応するファイルを保存しないため、中央サイト１３０からはマッチングする関連ダウンロードノードが提供されるだけである。
【０００５】
Ｐ２Ｐ技術は、ネットワーク帯域幅を大量に占用することがあり、大きなインターネットサービスプロバイダ（Ｉｎｔｅｒｎｅｔ  Ｓｅｒｖｉｃｅ  Ｐｒｏｖｉｄｅｒ、ＩＳＰ）は、ネットワークアクセスの速度制限を行い、通常は５１２Ｋ／ｓ以下である。占用された帯域幅の活用について、例えばＰ２Ｐでは対策を講じることができ、常用される手段として、ＴＣＰ接続数の制限、Ｐ２Ｐプロトコルの遮断、ダウンロード／アップロード速度の制限などが行われるため、伝送効率が制限される。
【発明の概要】
【課題を解決するための手段】
【０００６】
本発明は、データ伝送管理システムを提供する。該データ伝送管理システムは、第１ネットワークセグメントクライアント、第２ネットワークセグメントクライアント、および中央サイトを含む。
【０００７】
第１ネットワークセグメントクライアントは複数の第１ユーザを含み、各第１ユーザの間で相互にデータ伝送を行うことができる。第２ネットワークセグメントクライアントは複数の第２ユーザを含み、各第２ユーザの間で相互にデータ伝送を行うことができる。
【０００８】
中央サイトは、１つの管理機能を有するサーバとしてイメージすることができ、管理ユニットおよびメモリユニットを含む。このうち、管理ユニットはユーザコントロール部および情報コントロール部を含む。
【０００９】
中央サイトは、それぞれ第１ネットワークセグメントクライアントおよび第２ネットワークセグメントクライアントとデータ伝送を行い、さらに管理ユニットの情報コントロール部を通じて、第１ネットワークセグメントクライアントおよび第２ネットワークセグメントクライアントの間でデータ伝送が行われないように制御する。
【００１０】
このほか、本発明は、データ伝送の管理方法も提供する。以下のステップが含まれる。
【００１１】
Ｓｔｅｐ．ａ  複数のユーザの個別のネットワークセグメントが検出される。
【００１２】
Ｓｔｅｐ．ｂ  これらのユーザが、その識別コードに基づいて第１ネットワークセグメントクライアントまたは第２ネットワークセグメントクライアントに分類される。
【００１３】
Ｓｔｅｐ．ｃ  中央サイトが、それぞれ第１ネットワークセグメントクライアントおよび第２ネットワークセグメントクライアントとデータ伝送を行い、さらに第１ネットワークセグメントクライアントおよび第２ネットワークセグメントクライアントの間で、データ伝送が行われないように制御する。
【００１４】
したがって、本発明で提供されるデータ伝送管理システムおよび方法を通じて、ユーザ間で相互にデータ伝送が行われるときに、好ましい効率で行うことができる。さらに情報コントロール部を通じて、リソースの割当または需要と供給のマッチングがコントロールされる。すべての伝送は、同一のネットワークセグメント内で行われ、ネットワークセグメントをまたぎ、遠くの伝送経路を占用する必要はない。したがって、データ伝送効率を効果的に高め、バックボーンの流量を減らすことができる。
【００１５】
本発明の利点および精神とさらに詳細な実施形態に関し、以下の実施形態および添付図により、さらなる理解を得ることができる。
【図面の簡単な説明】
【００１６】
以下の詳細な説明を添付図と組み合わせることにより、上記内容および本発明の多くの利点を容易に理解できるであろう。
【００１７】
【図１】図１は、従来技術のピアツーピアのシステム概要図である。
【図２】図２は、本発明のデータ伝送管理システムの概要図である。
【図３】図３は、本発明のデータ伝送管理システムの実施例における概要図である。
【図４】図４は、本発明のデータ伝送管理方法のプロセス図である。
【発明を実施するための形態】
【実施例】
【００１８】
図２を参照されたい。図２は、本発明のデータ伝送管理システムの概要図である。本発明のデータ伝送管理システム２は、第１ネットワークセグメントクライアント２１、第２ネットワークセグメントクライアント２２および中央サイト２０を含む。
【００１９】
第１ネットワークセグメントクライアント２１は複数の第１ユーザを含み、実施例においては、３つの第１ユーザ２１１ａ、２１１ｂ、２１１ｃを例とする。これらの第１ユーザ２１１ａ、２１１ｂ、２１１ｃはクライアントになる以外に、サーバとみなすこともできる。したがって、各第１ユーザ２１１ａ、２１１ｂ、２１１ｃの間でデータ伝送、例えばデータのダウンロードまたはデータの共有を相互に行うことができる。
【００２０】
このほか、第１ユーザはそれぞれ第１識別コードを有し、さらにこれらの第１識別コードは、第１ネットワークセグメントクライアント２１の地理的位置情報に対応する。例を挙げると、地理的位置情報は、第１ネットワークセグメントクライアント２１のＩＰアドレスが２１０．２２８．１００．１〜２５４であるのと同じであるが、本発明はこれに限定されない。したがって、あるユーザのＩＰアドレスが２１０．２２８．１００．５０である場合、このユーザが第１ネットワークセグメントクライアント２１に属すると判断することができる。
【００２１】
同様に、第２ネットワークセグメントクライアント２２は複数の第２ユーザを含み、実施例においては、３つの第２ユーザ２２１ａ、２２１ｂ、２２１ｃを例とする。これらの第２ユーザ２２１ａ、２２１ｂ、２２１ｃはクライアントになる以外に、サーバとみなすこともできる。したがって、各第２ユーザ２２１ａ、２２１ｂ、２２１ｃの間でデータ伝送、例えばデータのダウンロードまたはデータの共有を相互に行うことができる。
【００２２】
第２ユーザはそれぞれ第２識別コードを有し、これらの第２識別コードは、第２ネットワークセグメントクライアント２２の地理的位置情報に対応するが、本発明はこれに限定されない。
【００２３】
中央サイト２０は、１つの管理機能を有するサーバとしてイメージすることができ、管理ユニット２０１およびメモリユニット２０２を含む。このうち、管理ユニット２０１は、ユーザコントロール部２０１１および情報コントロール部２０１２を含み、メモリユニット２０２は、大量のメディアファイルまたはいかなるデータも記憶することができるが、本発明はこれに限定されない。
【００２４】
管理ユニット２０１のユーザコントロール部２０１１は、第１ネットワークセグメントクライアント２１および第２ネットワークセグメントクライアント２２のデータを管理する。これらのデータには、各ユーザの識別コード、ＩＰアドレス、または各ユーザが使用することができる帯域幅権限の情報が含まれるが、本発明はこれに限定されない。
【００２５】
管理ユニット２０１の情報コントロール部２０１２はユーザコントロール部２０１１と電気的に接続され、第１ネットワークセグメントクライアント２１および第２ネットワークセグメントクライアント２２の情報に対応し、さらにはリソースの割当、または需要と供給のマッチングをコントロールする。
【００２６】
中央サイト２０は、それぞれ第１ネットワークセグメントクライアント２１および第２ネットワークセグメントクライアント２２とデータ伝送を行い、さらに管理ユニット２０１の情報コントロール部２０１２を通じて、第１ネットワークセグメントクライアント２１および第２ネットワークセグメントクライアント２２の間で、データ伝送が行われないように制御する。
【００２７】
言い換えれば、中央サイト２０は、それぞれ第１ネットワークセグメントクライアント２１または第２ネットワークセグメントクライアント２２とデータを共有することができるが、第１ネットワークセグメントクライアント２１および第２ネットワークセグメントクライアント２２は、データを共有することができない。
【００２８】
実施例において、３つの第１ユーザ２１１ａ、２１１ｂ、２１１ｃを例とした。３つの第１ユーザ２１１ａ、２１１ｂ、２１１ｃは、それ自体がクライアントになる以外に、それぞれがサーバになり相互に情報を共有することもできる。３つの第１ユーザ２１１ａ、２１１ｂ、２１１ｃは、すべて同一のネットワークセグメントに位置するため、相互にデータ伝送を行うとき、好ましい効率で行うことができる。さらに情報コントロール部２０１２がリソースの割当または需要と供給のマッチングをコントロールすることにより、ネットワークセグメントをまたぐ伝送モードを有することはなく、バックボーンの流量を効果的に減らすことができる。
【００２９】
上記実施例と同じように、第１ユーザ２１１ａ、２１１ｂ、２１１ｃが相互にデータ伝送を行う過程において、３つのユーザは、同様に中央サイト２０に対して、例えば、ネットワークの中断またはダウンロード終了などの関連情報のステータス報告を行うことができる。
【００３０】
ほかに、本発明のデータ伝送管理システムの実施例における概要図である、図３に示すように、本発明で提供されるデータ伝送管理システムは、第１ネットワークセグメントクライアント２１または第２ネットワークセグメントクライアント２２への使用に限定されないだけでなく、同時に複数のネットワークセグメントクライアントに適用される。
【００３１】
伝送がまだ終了していないが、サーバとしたユーザが中断した場合、中央サイト２０はリソースを有し、さらにルールに適合するその他のクライアントを新たに提供して接続することもでき、このリソース要求が終了するまで続く。第１ユーザ２１１ａをサーバとし、これを例とすると、第１ユーザ２１１ｂが第１ユーザ２１１ａからリソースをダウンロードするとき、第１ユーザ２１１ａが突然断線すると、中央サイト２０は第１ユーザ２１１ｃを提供してもう１つのサーバとし、残ったリソースの伝送が完了するまで続ける。さらに全ての伝送が同一のネットワークセグメント内で行われ、ネットワークセグメントをまたぎ遠くの伝送経路を占用する必要がないため、データ伝送の効率を効果的に高めることができる。
【００３２】
このほか、本発明は、データ伝送の管理方法も提供する。図４を参照されたい。図４は、本発明のデータ伝送管理方法のプロセス図であり、以下のステップが含まれる。
【００３３】
Ｓｔｅｐ  ａ．  複数のユーザの個別のネットワークセグメントが検出される。これらのネットワークセグメント情報は、識別機能を有する識別コードとすることができ、これらのユーザの地理的位置または関連情報が含まれるが、本発明はこれに限定されない。
【００３４】
Ｓｔｅｐ  ｂ．  これらのユーザが、その識別コードに基づいて第１ネットワークセグメントクライアントまたは第２ネットワークセグメントクライアントに分類される。例を挙げて述べると、３つのユーザのＩＰアドレスがそれぞれ２１０．２２８．１００．５０〜５３である場合、これら３つのユーザは第１ネットワークセグメントクライアントに分類される。
【００３５】
Ｓｔｅｐ  ｃ．  中央サイトは、それぞれ第１ネットワークセグメントクライアントおよび第２ネットワークセグメントクライアントとデータ伝送を行い、さらに第１ネットワークセグメントクライアントおよび第２ネットワークセグメントクライアントの間でデータ伝送が行われないように制御する。第１ネットワークセグメントクライアントおよび第２ネットワークセグメントクライアントは、それぞれ複数の第１ユーザおよび複数の第２ユーザを含み、さらにこれら第１ユーザの間で相互にデータ伝送が行われ、これら第２ユーザの間で相互にデータ伝送が行われるが、中央サイトは情報コントロール部を通じて、第１ユーザおよび第２ユーザの間でデータ伝送が行われないようにコントロールする。
【００３６】
本発明は、リソースの割当または需要と供給のマッチングをコントロールすることにより、２方向のユーザはネットワークセグメントをまたぐ伝送モードを有することはなく、バックボーンの流量を効果的に下げることができる。
【００３７】
本発明は、好ましい実施例により上記のように開示されたが、これは、本発明の精神および発明実体を制限するものではなく、上記実施例に過ぎない。当業者は、その他の要素または形態を利用して同じ効果が得られることを、容易に理解することができるであろう。そのため、本発明から逸脱しない精神および範囲内で行われる修正は、すべて以下に記載する特許請求の範囲に包含されるべきである。
【符号の説明】
【００３８】
１  従来技術のピアツーピアシステム
１０  中央サイト
２０  中央サイト
２  本発明のデータ伝送管理システム
２０１  管理ユニット
２０１１  ユーザコントロール部
２０１２  情報コントロール部
２０２  メモリユニット
２１  第１ネットワークセグメントクライアント
２２  第２ネットワークセグメントクライアント
２３  第２ネットワークセグメントクライアント
２１１ａ  第１ユーザ
２１１ｂ  第１ユーザ
２１１ｃ  第１ユーザ
２２１ａ  第２ユーザ
２２１ｂ  第２ユーザ
２２１ｃ  第２ユーザ
２３１ａ  第３ユーザ
２３１ｂ  第３ユーザ
２３１ｃ  第３ユーザ
【図１】
2013207797.tif 000003
【図２】
2013207797.tif 000004
【図３】
2013207797.tif 000005
【図４】
2013207797.tif 000006